(57)【要約】【課題】取り扱いが容易で、しかも電動工具や充電器等の対象機器に対して確実に着脱することができ、落下等の衝撃に対する強度も十分にとれる電池パックの係止機構を提供することを課題とする。【解決手段】電池を収容したケースに、電動工具等の対象機器の取付部Ｂにスライドさせた状態で対象機器に係止可能なフック１４と、上記フック１４と連動する係止解除用操作部１６とを備えた電池パックＡの係止機構において、フック１４を上方に移動して取付部Ｂに係止する方向に弾性体により付勢し、操作部１６を、ケースのスライド方向の後端部の両側から片手で把持できる範囲内で、ケースの両側部に配置し、操作部１６を両側から操作して弾性体による付勢に抗してフック１４と取付部Ｂとの係止を解除させる。【選択図】図４
2007188717.tif 000002
【特許請求の範囲】
【請求項１】
電池を収容したケースに、電動工具等の対象機器の取付部にスライドさせた状態で対象機器に係止可能なフックと、上記フックと連動する係止解除用操作部とを備えた電池パックの係止機構において、
上記取付部は対象機器の底面に、上記フックは上記電池パックの上面に各々配置されており、
上記フックは上方に移動して上記取付部に係止する方向に弾性体により付勢し、
上記操作部を、上記ケースのスライド方向の後端部の両側から片手で把持できる範囲内で、上記ケースの両側部に配置し、
上記操作部を両側から操作して上記弾性体による付勢に抗して上記フックと上記取付部との係止を解除させる
ことを特徴とする電池パックの係止機構。
【請求項２】
上記フックを上記電池パックの上面に上下動可能に配置し、上記フックのスライド方向の前面には、上記対象機器の取付部に係合可能な傾斜面を形成するとともに、上記フックの両側部には、上記操作部に対応する位置に傾斜面を形成し、上記操作部を上記傾斜面に係合させて押し込んだときに上記フックを下方に移動させて上記フックと取り付け部との係止を解除させることを特徴とする、請求項１に記載の電池パックの係止機構。
【発明の詳細な説明】
【技術分野】
【０００１】
本発明は、電動工具等の電源として電動工具や充電器等の対象機器に着脱自在に設けられる電池パックの係止機構に関する。
【背景技術】
【０００２】
一般に、この種の電池パックは、電動工具のグリップ部や充電器に着脱可能となっており、装着により電池パックのプラス、マイナスの端子が、上記電動工具や充電器等の対象機器に設けられた端子と接触するように構成されている。
【０００３】
ところで、従来の電池パックの取り付け構造として、特許文献１に示されるように、電池パックの後部にフックを設け、このフックと電動工具の受け部に係脱作動する係止手段とが連動するようにしたものが知られている。装着するときは、電池パックを対象機器の所定位置に向けて前方にスライドさせて押し込むことによって係止手段が対象機器の受け部に係止することによって行なう。逆に、電池パックを取り出すときは、後面のフックに指を掛け下方に押し下げて係止手段の係止状態を解除させた後、後方に引き出すことにより取り出しができるようになっている。
【０００４】
そのほか、特許文献２に示されるように、同じようにスライドさせて係脱する方式であるが、電池パックの両側に１対の操作部を配置し、これらの操作部を片手の親指と人差し指とで下から挟み付けるようにして押圧することによって電池パックと電動工具等の対象機器との係止を解除させて引き出すことにより取り出しができるようにしたものが知られている。
【特許文献１】特開２００１−２２９８９５公報
【特許文献２】特開２００４−３９６３８公報
【発明の開示】
【発明が解決しようとする課題】
【０００５】
しかしながら、特許文献１に示されるものは、電池パックを取り出すときは、フックの係止を解除させるために加える力の方向（下方）と電池パックを引き出す方向（後方）が異なるから、力の入れ加減が難しく、係止解除の直後も、係止解除のために下向きの力が維持されているから、対象機器から外れたときに電池パックを保持できずに落として破損するという問題があった。
【０００６】
特許文献２に示されるものは、電池パックの両側面には操作部の下方に窪みが上下方向に形成してあり、この窪みに親指と人差し指を下から入れ込んだ状態で引き出す構成であるから、親指と人差し指とを上下に向けた状態で水平に引き出すことになるので、力を効率よく使うことができない。また、引き出す力で指が窪みから外れて電池パックを落下させる危険があった。また、スペース上大型の係止部材を設けられないため、落下等の衝撃時の強度が十分にとれないという問題があった。
【０００７】
本発明は上記問題点を解消し、取り扱いが容易で、しかも電動工具や充電器等の対象機器に対して確実に着脱することができ、落下等の衝撃に対する強度も十分にとれる電池パックの係止機構を提供することを課題とする。
【課題を解決するための手段】
【０００８】
上記課題を解決するため、請求項１に係る発明は、電池を収容したケースに、電動工具等の対象機器の取付部にスライドさせた状態で対象機器に係止可能なフックと、上記フックと連動する係止解除用操作部とを備えた電池パックの係止機構において、上記取付部は対象機器の底面に、上記フックは上記電池パックの上面に各々配置されており、上記フックは上方に移動して上記取付部に係止する方向に弾性体により付勢し、上記操作部を、上記ケースのスライド方向の後端部の両側から片手で把持できる範囲内で、上記ケースの両側部に配置し、上記操作部を両側から操作して上記弾性体による付勢に抗して上記フックと上記取付部との係止を解除させることを特徴とする。
【０００９】
請求項２に係る発明は、上記フックを上記電池パックの上面に上下動可能に配置し、上記フックのスライド方向の前面には、上記対象機器の取付部に係合可能な傾斜面を形成するとともに、上記フックの両側部には、上記操作部に対応する位置に傾斜面を形成し、上記操作部を上記傾斜面に係合させて押し込んだときに上記フックを下方に移動させて上記フックと取り付け部との係止を解除させることを特徴とする。
【発明の効果】
【００１０】
請求項１に係る発明によれば、電池パックを対象機器に装着するときは、その取付部にスライドさせることによりフックが対象機器に係止して固定される。
【００１１】
これに対し、電池パックを取り外すときは、上記操作部を両側から操作して上記フックとの係止を解除させた後、スライドさせて引き出せばよい。
【００１２】
操作部は、上記ケースのスライド方向の後端部の両側から片手で把持できる範囲内で、上記ケースの両側部に配置されているので、電池パックを取り外すときは上記ケースを片手で強く挟みつけることになり、これは同時にケースを片手内に強く保持する行為である。このように、フックの係止解除と引き出しのための強い握り締めとが同じ行為であるから、無理なく確実に対象機器から電池パックを引き出すことができる。したがって、取り扱いが非常に容易である。
【００１３】
また、フックは上記ケースの上面に配置されており、取り付けのスペースが十分にあり大型のものとすることができるため、落下等による衝撃時に対する強度も十分に取ることができる。
【００１４】
請求項２に係る発明によれば、電池パックを対象機器に装着するときは、その取付部にスライドさせることにより上記フックのスライド方向の前面に形成された傾斜面が、上記対象機器の取付部と係合し、この取付部のスライドにより上下動して上記フックが上記取付部に係止して固定される。
【００１５】
これに対し、電池パックを取り外すときは、上記操作部を両側から操作して上記操作部を上記傾斜面に係合させて押し込むことにより上記フックが下方に移動して上記取付部との係止が解除されるため、その後電池パックをスライドさせて引き出せばよい。
【発明を実施するための最良の形態】
【００１６】
以下、図に基づいて本発明の実施の形態について説明する。
【００１７】
図１は電池パックの電動工具への装着状態を示す斜視図、図２は電池パックの電動工具への装着前の状態を示す斜視図、図３は図１における係止部の状態を示す破断図、図４は電池パックの斜視図で、（ａ）は電動工具への装着時の前方から見た図、（ｂ）は同じく後方から見た図、図５は電池パックの分解斜視図、図６は図４の断面Ｘを矢視Ｃ方向からみた一部断面の斜視図である。
【００１８】
上図において符号Ａは電池パックを、Ｂは電動工具のグリップの下部に設けられた取付部を示す。図１に示されるように、電池パックＡは電動工具の取付部Ｂに対し、取り外し可能にスライド装着されている。
【００１９】
図１、図４、図５および図６に示すように、電池パックＡは外ケース２と内ケース３とからなり、外ケース２は上端が開放した箱状のケース本体２ａと上記開放端を閉鎖する蓋部材２ｂとから構成され、内ケース３は８本の電池を収納保持できるように構成されている。内ケース３は電池収納後、外ケース２の内側に収納される。その上は蓋部材２ｂで閉じられ、ネジ４を外ケース２の下側から内部のネジ挿通筒５に挿通させ、蓋部材２ｂの裏側に形成されたネジ受け部６に螺合させることにより一体に結合している。
【００２０】
ところで、上記蓋部材２ｂは、下板部８と、その上部両側のガイドアーム部１０と、ガイドアーム部１０の後方に設けられた上板部１１と、上板部１１の後端から下方に形成された背板部１２とを備え、上板部１１には開口部１３が形成され、上板部１１の両側側面には開口部９が形成されている。
【００２１】
後部上面の開口部１３の内側にはフック１４が配置されている。このフック１４の上端部には、上記対象機器の取付部Ｂと係合する係止顎１８が形成され、この係止顎１８のスライド方向前面は、装着時に上記対象機器の取付部Ｂにより押しさげられる傾斜面１５ａが形成されている。
【００２２】
フック１４の両側下部には、開口部９の内側に配置された操作部１６と係合する傾斜面１５ｂが形成され、フック１４の中間部の下部にはバネ受け部１７が形成されている。
【００２３】
上記傾斜面１５ｂ、バネ受け部１７は、上板部１１の開口部１３の下方で、上記背板部１２の前面に形成された空間部２２に配置されており、傾斜面１５ｂは、操作部材１６の一端に係合し、バネ受け部１７と内ケース３の上面に形成されたバネ受け２０との間に設けられた圧縮バネ２１によって上方に付勢されている。
【００２４】
上記構成により、フック１４は上方にバネ付勢され、操作部１６を内側に押し込むと、これに連動して上記傾斜面１５ｂが下方に移動するのでフック１４全体は開口部１３から上板部１１の下方に移動可能となっている。
【００２５】
なお、電池パックＡは片手で掴むことができる程度の大きさに形成され、両側の操作部１６は背面の両側から片手で把持できる範囲内に形成されている。
【００２６】
また、電動工具の下端部には電池パックＡの取付部Ｂが形成されている。この取付部Ｂは図２に示されるように、ベース２４とその両側下方に形成された側片部２５とによって構成されている。側片部２５の下部内面には案内凸条２６が形成され、上記ベース２４と案内凸条２６との間には、電池パックＡのガイドアーム部１０がスライド可能なスライド溝２７が形成されている。また、案内凸条２６の高さは電池パックＡの下板部８とガイドアーム部１０と台部７との間の溝２３にスライド嵌合する程度に形成されている。
【００２７】
ベース２４の先端部２４ａに対向する裏面には、電池パックＡのフック１４に係合する係止溝２８とその前後の平坦部２９が形成されている（図３参照）。
【００２８】
次に、上記電動工具の取付部Ｂに電池パックＡを取付けるときは、図２に示すように、電池パックＡのガイドアーム部１０を上記取付部Ｂのスライド溝２７に滑り込ませてスライドさせて押し込む。このとき同時に、取付部Ｂの案内凸条２６は上記溝２３に係合する。電池パックＡを押し込み端部までスライドさせると、図３に示すように電池パックＡのフック１４の係止顎１８が圧縮バネ２１（図６参照）により取付部Ｂの係止溝２８に飛び込んで係止され、電池パックＡは確実に装着される。
【００２９】
これに対し、上記取付部Ｂに装着された電池パックＡを取り出すときは、図１に示すように電池パックＡの後ろ側から片手で挟むように指を前方に伸ばし、親指と人指指で両側の操作部１６を両側から内側に挟みつけるように押圧する。
【００３０】
これにより、電池パックＡのフック１４は操作部１６により傾斜面１５ｂが押しさげられることで係止顎１８が下方に移動し、係止溝２８との係止は解除される（図３、図６参照）。そこで、そのままの状態で電池パックＡを逆方向にスライドさせて電動工具の取付部Ｂから引き出せばよい。
【００３１】
上述のように、電池パックＡを電動工具に装着するときは、その取付部Ｂにスライドさせればよく、電池パックＡを取り外すときは、片手で上記操作部１６を両側から内側に挟みつけるように押圧し、そのままスライドさせて引き出せばよい。
【００３２】
操作部１６は、上記ケースのスライド方向の後端部の両側から片手で把持できる範囲内で、上記ケースの両側部に配置されているので、電池パックＡを取り外すときは、図１に示すように上記ケースを片手で強く挟みつけることになり、これは同時にケースを片手内に強く保持する行為である。しかも、操作部１６を押し込むと、その分だけ図５に示す開口部９に指が係りやすい。このように、フック１４の係止解除と引き出しのための強い握り締めとが同じ行為であるから、無理なく確実に対象機器から電池パックＡを引き出すことができる。したがって、電池パックＡを電動工具に着脱するとき、手から外れて落下するという事故を有効に防止することができる。
【００３３】
前述のように、フック１４に一体に傾斜面１５ｂが形成され、電池パックＡ装着時は常に操作部１６と当接しているため、操作部１６を押して傾斜面１５ｂおよびフック１４の係止顎１８が開口部１３から引っ込んだところをスライドさせて工具本体の取付部Ｂから引き抜くという一連の動作はスムーズに行なうことができるので操作性が向上する。
【００３４】
さらに、係止顎１８は、電池パックＡの側面に配置されている場合の様に、フックの前端側部に小さく形成されたものとは異なり、スペースの制約の少ない上板部１１に配置されるフック１４の前端の全幅に形成するものであるから、十分に大きく形成することができ、係止強度が大きく、落下時に破損するのを良好に防止することができる。
【００３５】
また、上記実施形態は、弾性体として圧縮バネ２１を設けた場合の例であるが、弾性体はバネのほか、例えばゴム等であってもよい。
【００３６】
さらに、上記実施形態は、操作部を内側に押圧し、フックを解除させる構成であるが、例えば操作部にテーパ面を設け、スライドさせることでフックを解除させる構成であってもよい。
【産業上の利用可能性】
【００３７】
本発明は電動工具に限定されない。電池パックを充電するための充電器などを対象機器として適用することができる。
【図面の簡単な説明】
【００３８】
【図１】本発明に係る電池パックの電動工具への装着状態を示す斜視図である。
【図２】本発明に係る電池パックの電動工具への装着前の状態を示す斜視図である。
【図３】図１における係止部の状態を示す破断図である。
【図４】本発明に係る電池パックの斜視図であり、（ａ）は電動工具への装着時の前方から見た図であり（ｂ）は同じく後方から見た図である。
【図５】本発明に係る電池パックの分解斜視図である。
【図６】図３の断面Ｘを矢視Ｃ方向からみた一部断面斜視図であり、係止部材と操作部の関係を示す図である。
【符号の説明】
【００３９】
Ａ      電池パック
Ｂ      電動工具の取付部
２      外ケース
３      内ケース
１４    フック
１５ａ  傾斜面
１５ｂ  傾斜面
１６    操作部
１７    バネ受け部
１８    係止顎
１９    凹部
【図１】
2007188717.tif 000003
【図２】
2007188717.tif 000004
【図３】
2007188717.tif 000005
【図４】
2007188717.tif 000006
【図５】
2007188717.tif 000007
【図６】
2007188717.tif 000008